(57)【要約】【課題】使用者が食器洗い機を設置した後、設置が正しく行われ水漏れ等の不具合が生じないかの確認を短時間で、かつ確実に実施させるためのものである。【解決手段】本発明の食器洗い機は、食器等の被洗浄物を収容する洗浄槽と、前記洗浄槽内に給水を行う給水手段と、前記洗浄槽内の洗浄水を加熱する加熱手段と、前記洗浄水を加圧し前記洗浄槽内に供給する洗浄ポンプと、前期洗浄槽内の水を機外に排出する排水手段と、前記過熱手段や洗浄ポンプを制御する制御手段と、を備え、給水・洗浄・排水の一連の動作を短時間で行う試運転用のコースを所定のコースとは別に設けたものである。【選択図】図１
2011050423.tif 000002
【特許請求の範囲】
【請求項１】
食器等の被洗浄物を収容する洗浄槽と、前記洗浄槽内に給水を行う給水手段と、前記洗浄槽内の洗浄水を加熱する加熱手段と、前記洗浄水を加圧し前記洗浄槽内に供給する洗浄ポンプと、前期洗浄槽内の水を機外に排出する排水手段と、前記過熱手段や洗浄ポンプを制御する制御手段と、を備え、給水・洗浄・排水の一連の動作を行う試運転用のコースを所定のコースとは別に設けることを特徴とした食器洗い機。
【請求項２】
上記試運転用コースを少なくとも１度以上運転させるまで、所定のコースを運転することができないことを特徴とした、請求項１に記載の食器洗い機。
【発明の詳細な説明】
【技術分野】
【０００１】
本発明は、食器等の被洗浄物に洗浄水を噴射して洗浄する食器洗い機に関するものである。
【背景技術】
【０００２】
従来のこの種の食器洗い機は、図３、図４に示すように構成されていた（例えば、特許文献１参照）。食器洗い機本体１０１は、内部に洗浄槽１０２を設けており、この洗浄槽１０２内へ給水弁１０３により水または湯を供給するようにしている。洗浄槽１０２の底部には排水口１０４を設け、この排水口１０４に連通し、モータによって駆動される洗浄ポンプ１０５を取り付け、この洗浄ポンプ１０５により洗浄水を洗浄槽１０２の内部に循環するよう構成している。
【０００３】
また、洗浄ノズル１０６と洗浄槽１０２の底部との間には、洗浄水加熱用のヒータ１０７を装備し、洗浄ノズル１０６の上方には、食器１０８（被洗浄物）を整然と配置でき、洗浄水を効果的に食器１０８に噴射するように構成した食器かご１０９を設置して効率的に洗浄を行っている。また、排水ポンプ１１０は、排水経路１１１および排水経路１１１末端に接続された排水ホース１１２を通して洗浄水を機外に排出するものである。
【０００４】
上記食器洗い機の設置に関して説明する。
【０００５】
通常、給水ホース１１３および排水ホース１１２は製品に同梱されているので、使用者は食器洗い機設置時に給水ホース接続部１１４を給水連結部１１５に接続し、給水ホース１１３の他端を水道に接続する。また、排水ホース１１２を排水経路１１１末端に接続する。
【先行技術文献】
【特許文献】
【０００６】
【特許文献１】特開２００３−３３９６０８号公報
【発明の概要】
【発明が解決しようとする課題】
【０００７】
しかしながら、従来の食器洗い機では、給水ホース接続部１１４が給水連結部１１５ヘ正規に螺合されなかったり、排水ホース１１２が排水経路１１１末端に正規に接続されなかったりした場合、運転中に水漏れを起こす恐れがある。
【０００８】
食器洗い機を初めて運転する際に、使用者が立会いの下で水漏れの確認をすれば上記理由により水漏れが生じた場合でも拡大被害を未然に防ぐことができるが、一般的な食器洗い機に所定に設けられたコースを運転する場合、運転を開始して給水・洗浄を行い、第１回目の排水工程を行うまで少なくとも１１５分程度の時間を要する。したがって、このように使用者が立ち会っての水漏れ確認は多くの場合実施されないと考えられる。
【０００９】
そのため、給水・洗浄・排水動作を短時間で行うコースを、所定のコースとして設ける（例えば予洗コース）ことが考えられるが、初期設置時以外での使用頻度が低いそのようなコースを増やすことは、使用者のコース選択を煩雑にする恐れがある。
【００１０】
本発明は上記従来の課題を解決するもので、使用者が食器洗い機を設置した後、設置が正しく行われ水漏れ等の不具合が生じないかの確認を短時間で、かつ確実に実施させるた
めのものである。
【課題を解決するための手段】
【００１１】
前記従来の課題を解決するために、本発明の食器洗い機は、食器等の被洗浄物を収容する洗浄槽と、前記洗浄槽内に給水を行う給水手段と、前記洗浄槽内の洗浄水を加熱する加熱手段と、前記洗浄水を加圧し前記洗浄槽内に供給する洗浄ポンプと、前期洗浄槽内の水を機外に排出する排水手段と、前記過熱手段や洗浄ポンプを制御する制御手段と、を備え、給水・洗浄・排水の一連の動作を行う試運転用のコースを所定のコースとは別に設けたものである。
【００１２】
これにより、使用者が食器洗い機を設置した後、設置が正しく行われ水漏れ等の不具合が生じないかの確認を短時間で、かつ確実に実施させるためのものである。
【発明の効果】
【００１３】
本発明の食器洗い機は、食器等の被洗浄物を収容する洗浄槽と、前記洗浄槽内に給水を行う給水手段と、前記洗浄槽内の洗浄水を加熱する加熱手段と、前記洗浄水を加圧し前記洗浄槽内に供給する洗浄ポンプと、前期洗浄槽内の水を機外に排出する排水手段と、前記過熱手段や洗浄ポンプを制御する制御手段と、を備え、給水・洗浄・排水の一連の動作を行う試運転用のコースを所定のコースとは別に設けたもので、使用者が食器洗い機を設置した後、設置が正しく行われ水漏れ等の不具合が生じないかの確認を短時間で、かつ確実に実施させることができる。
【図面の簡単な説明】
【００１４】
【図１】本発明の実施の形態における食器洗い機のシステム構成図
【図２】本発明の実施の形態における食器洗い機の操作部詳細図
【図３】従来の食器洗い機のシステム構成図
【図４】従来の食器洗い機の給水ホース接続部拡大図
【発明を実施するための形態】
【００１５】
第１の発明は、食器等の被洗浄物を収容する洗浄槽と、前記洗浄槽内に給水を行う給水手段と、前記洗浄槽内の洗浄水を加熱する加熱手段と、前記洗浄水を加圧し前記洗浄槽内に供給する洗浄ポンプと、前期洗浄槽内の水を機外に排出する排水手段と、前記過熱手段や洗浄ポンプを制御する制御手段と、を備え、給水・洗浄・排水の一連の動作を行う試運転用のコースを所定のコースとは別に設けたもので、使用者が食器洗い機を設置した後、設置が正しく行われ水漏れ等の不具合が生じないかの確認を短時間で、かつ確実に実施させることができる。
【００１６】
第２の発明は、上記試運転用コースを少なくとも１度以上運転させるまで、所定のコースを運転することができないことを特徴としたもので、設置が正しく行われ水漏れ等の不具合が生じないかの確認を使用者に確実に実施させるものである。
【００１７】
以下、本発明の実施の形態について、図面を参照しながら説明する。なお、この実施の形態によって本発明が限定されるものではない。
【００１８】
（実施の形態１）
図１は本発明の実施の形態における食器洗い機のシステム構成図、図２は本発明の実施の形態における食器洗い機の操作部詳細図を表す。
【００１９】
本実施の形態における食器洗い機の本体１内部には、洗浄槽２が設けられており、洗浄槽２の内部には、食器３などの被洗浄物を設置する食器かごが４収容されている。
【００２０】
また、洗浄槽２の前面には開口部５が設けられており、開口部５を扉体６により開閉するよう構成されている。
【００２１】
被洗浄物に洗浄水を噴射する洗浄ノズル（洗浄手段）７が洗浄槽２の底部に設けられ、洗浄水を加圧するとともに洗浄ノズルへ洗浄水を供給する洗浄ポンプ８と洗浄ポンプ８を駆動するモータ９とが洗浄槽２の底面外側に設けられている。
【００２２】
また、洗浄水を貯水する洗浄貯水部１０と、洗浄水を加熱する加熱手段（ヒータ）１１とが開口部５近傍の洗浄槽２底部に設けられている。
【００２３】
洗浄水の温度を検知するサーミスタ（温度検知手段）１３が洗浄槽２底面の外壁に、洗浄槽２下部にたまった洗浄水の水位を検出する水位検出スイッチ１４が洗浄槽２側面の外壁に、設けられている。
【００２４】
また、同じく洗浄槽下部に配設された制御装置１６は、食器類３の洗浄、すすぎ、乾燥の一連の逐次動作を行うと共に、水位検出スイッチ１４や温度センサ１３からの信号の処理を行う。
【００２５】
また、洗浄槽２内に給水を行う給水弁（給水手段）１５が洗浄槽２の外壁に取り付けられており、給水ホース１６が接続される。排水経路末端１７には排水ホース１８が接続される。
【００２６】
また、食器洗い機本体１の前面には、操作部２０が設けられている。操作部には電源スイッチ２１、スタートスイッチ２４の他に運転するコースを選択するコース選択スイッチ２２、乾燥工程の時間を選択する乾燥時間選択スイッチ２３が設けられている。
【００２７】
以上のように構成された本実施の形態における食器洗い機についてその動作、作用を説明する。
食器等の被洗浄物を食器カゴ４にセットして洗浄槽２に収納し、使用者が洗剤を投入した後、扉体６により洗浄槽２の開口部５を閉塞し、電源スイッチ２１を押して電源を入れる。次に、コース選択ボタン２２を押して運転するコースを選択する。一般的な食器洗い機では、標準的な汚染を洗浄する標準コースの他に、高温での洗浄を行うコース、少量の食器を洗浄するためのコース、標準コースよりも短い時間で洗浄を行うコース、乾燥のみを行うコース等が設けられている。次に、乾燥時間選択スイッチ２３を押して乾燥時間を選択する。
【００２８】
コース選択および乾燥時間の洗濯が終わった後、スタートボタン２４を押すと運転が開始される。
洗浄工程では、給水弁１５が動作し、洗浄槽２に水位検出スイッチ１４により得られる所定の水位まで給水を行う。
【００２９】
給水が終了すると、洗浄ポンプ８が動作し、洗浄ノズル７から洗浄水が被洗浄物３に向けて噴射されると同時に、加熱手段１１が動作し洗浄水の加熱を行う。洗浄水の温度はサーミスタ１３により検知されており、所定の水温に到達し、かつ、所定の洗浄時間が経過すると洗浄工程が終了する。
【００３０】
洗浄工程が終了すると、すすぎ工程を行い、その後、加熱すすぎ工程が開始する。
【００３１】
加熱すすぎ工程においても洗浄工程同様、洗浄水が所定の温度に到達し、かつ、所定の
すすぎ時間が経過した後に終了する。
【００３２】
加熱すすぎ工程が終了すると、乾燥工程が開始される。その後、運転開始時に選択された乾燥工程時間が経過すると、運転を終了し自動的に電源がオフになる。
【００３３】
次に、試運転用コースの動作について説明する。
【００３４】
使用者は、電源スイッチ２１を押し電源を入れる。次に、コース選択２２スイッチと乾燥時間選択スイッチ２３を同時に約３秒間押す。これにより、試運転用のコースが受付される。この時、選択コースや乾燥時間を示す操作部のＬＥＤ表示は、標準コース等の所定のコース運転時とは異なるため、使用者は試運転用のコースが受付されたことが分かる。
【００３５】
次に、スタートボタン２４を押すと、給水弁１５を動作し、洗浄槽２に水位検出スイッチ１４により得られる所定の水位まで給水を行う。
【００３６】
この時、一定時間（５分間程度）所定の水位が検知されなかった場合、給水栓が開かれていないと判断し、異常報知をして運転を中止する。
【００３７】
給水が終了すると、洗浄ポンプ８が動作し、洗浄ノズル７より洗浄水が噴射される。なお、試運転コースにおいては、加熱手段１１は動作させない。
【００３８】
その後、一定時間（２分程度）洗浄ポンプ８を動作させた後、洗浄槽内の水を機外に排出する。洗浄水の排水は、洗浄ポンプ８を駆動するモータ９を洗浄時とは逆回転させることにより行われる。
【００３９】
この時、一定時間（３分間程度）排水動作を行った後に、水位検出スイッチ１４が水ありを検知する場合は、排水ホース１８の折れ曲がり等の理由により、排水が正常に行われなかったと判断し、異常報知をして運転を停止する。
【００４０】
排水動作終了後、水位検知スイッチ１４が水なしを検知すると、運転終了ブザーを吹聴し運転を終了する。同時に、制御手段１６に試運転コースが正常終了したことをメモリする。
【００４１】
以上の試運転に要する時間は、運転開始から終了まで約４分程度である。
【００４２】
このように、本実施例によれば、使用者が食器洗い機を設置した後、設置が正しく行われ水漏れ等の不具合が生じないかの確認を短時間で、かつ確実に実施させることができる。
【００４３】
また、試運転コースでは加熱手段１１を動作させないため洗浄水は熱湯とならないので、万が一排水ホース１８の接続不良等により水漏れが生じた場合でも、使用者が漏れた排水により火傷を負う心配はない。
【００４４】
また、試運転コースを所定のコースとは別に設けることで、所定のコースの種類を増やさずに済むため、使用者のコース選択が煩雑になるのを防ぐことができる。
【００４５】
また、請求項２に記載のように試運転用コースを少なくとも１度以上運転させるまで、所定のコースを運転することができないようにしてもよい。試運転コースが正常終了していない状態で、使用者が所定のコースを運転しようとすると、運転開始直後に異常報知して運転を停止する。前述の通り、試運転コースが正常に完了しているか否かは、制御手段
に記憶されている。これにより、試運転による設置の確認を使用者に確実に実施させることができるため、より安全な食器洗い機を提供することが可能となる。
【産業上の利用可能性】
【００４６】
以上のように、本発明にかかる食器洗い機は、使用者が食器洗い機を設置した後、設置が正しく行われ水漏れ等の不具合が生じないかの確認を短時間で、かつ確実に実施させることができるため、より安全性の高い食器洗い機として有用である。
【符号の説明】
【００４７】
２  洗浄槽
１１  加熱手段
１６  給水ホース
１８  排水ホース
１６  制御装置
２０  操作部
【図２】
2011050423.tif 000003
【図３】
2011050423.tif 000004
【図４】
2011050423.tif 000005
【図１】
2011050423.tif 000006